(57)【要約】【課題】カードに設けられた秘匿情報が、正当者以外には読み取られないようなセキュリティ性があり、また、流通段階では、作業がしやすく、使用者には、扱いやすいカード収納体を提供する。【解決手段】カード収納体１０は、略カード形状のＵＩＭ用カード２０を収納する台紙であって、折り線１１ｄで折り畳まれるシート本体１１と、折り畳まれたシート本体１１の内部に設けられ、ＵＩＭ用カード２０を配置するＵＩＭ用カード貼込位置１２と、ＵＩＭ用カード貼込位置１２に、ＵＩＭ用カード２０を固定する再剥離粘着剤１１ｂと、ＵＩＭ用カード貼込位置１２に設けられ、折り畳まれたシート本体１１の外部に、ＵＩＭ用カード２０の機械読取が可能なＩＣカード番号を表出させるカード表出部１３と、折り畳み後の不正な開封を防止する開封防止ツメ１４等とを備える。【選択図】図１
2005250546.tif 000002
【特許請求の範囲】
【請求項１】
略カード形状のカード部を収納するカード収納体であって、
折り線で折り畳まれるシート本体と、
折り畳まれた前記シート本体の内部に設けられ、前記カード部を配置するカード部配置領域と、
前記カード配置領域に、前記カード部を固定する固定手段と、
前記カード部配置領域に設けられ、折り畳まれた前記シート本体の外部に、前記カード部の少なくとも一部を表出させるカード表出部と、
を備えるカード収納体。
【請求項２】
請求項１に記載のカード収納体において、
前記カード部は、外部に表出する部分に、識別情報が設けられていること、
を特徴とするカード収納体。
【請求項３】
請求項２に記載のカード収納体において、
前記識別情報は、機械読取が可能であること、
を特徴とするカード収納体。
【請求項４】
請求項１から請求項３までのいずれか１項に記載のカード収納体において、
前記カード部は、秘匿情報を備え、
前記秘匿情報は、前記識別情報と同一面上に設けられていること、
を特徴とするカード収納体。
【請求項５】
請求項１から請求項４までのいずれか１項に記載のカード収納体において、
前記シート本体は、前記秘匿情報と対応する部分に、その秘匿情報を隠蔽する隠蔽層を備えること、
を特徴とするカード収納体。
【請求項６】
請求項１から請求項５までのいずれか１項に記載のカード収納体において、
前記カード部は、ＩＣチップ部を備え、そのＩＣチップ部以外の部分が、前記固定手段によって固定されている、及び／又は、カード表出部によって表出させられていること、
を特徴とするカード収納体。
【請求項７】
請求項６に記載のカード収納体において、
前記カード部は、前記ＩＣチップ部を含み、切り取り可能な小型ＩＣカード部を備えること、
を特徴とするカード収納体。
【請求項８】
請求項１から請求項７までのいずれか１項に記載のカード収納体において、
前記固定手段は、再剥離可能な粘着層であり、
前記秘匿情報は、前記カード部と前記粘着層との間に設けられていること、
を特徴とするカード収納体。
【請求項９】
請求項１から請求項８までのいずれか１項に記載のカード収納体において、
前記シート本体は、不正な開封を防止する不正開封防止部を備えること、
を特徴とするカード収納体。
【発明の詳細な説明】
【技術分野】
【０００１】
本発明は、ＩＣカード等を収納し、流通させるのに好適なカード収納体に関するものである。
【背景技術】
【０００２】
ここ数年、携帯電話は、大きな発展を遂げてきた。
携帯電話のサイズは小型化し、通信速度も向上し、また、通話だけでなく、各種コンテンツも楽しめるようになってきた。
【０００３】
この流れの中で、ＩＣカードを内蔵させる携帯電話が誕生してきた。
例えば、ＩＣカードの中に、所有者の情報や、携帯電話の番号情報等を記憶させておき、これを携帯電話に差し込めば、他人の携帯電話を借りても自分の電話番号から通信料金を支払うことができる。
【０００４】
また、故障時に、仮の携帯電話を借りる場合や、海外旅行時に渡航先の規格に合致した特殊仕様の携帯電話等を借りる場合であっても、ＩＣカードの差し込みによって、国内と同じ電話番号を使用することができ、非常に便利である。
【０００５】
一方、ＩＣカードも、その進化とともに様々な分野で利用され、このＩＣカードと申込書とを一体的に組み入れるＩＣカード付き申込書等も提案されている（例えば、特許文献１）。
【０００６】
ＩＣカードは、いわゆるクレジットカードサイズや、その近傍サイズで形成されているものが多い。
したがって、ＩＣカードに、個人情報等を大量に書き込む専用機は、通常のクレジットカードサイズを基準としている。
【０００７】
しかし、現在の携帯電話は、クレジットカードサイズより小さいものがほとんどで、ＩＣカード全体を挿入できるような携帯電話は皆無である。
つまり、携帯電話側からすれば、クレジットカードサイズは大きすぎる。
【０００８】
以上の経緯より、クレジットカードサイズのＩＣカードでありながら、携帯電話にセットして使用する場合には、ＩＣチップを含む一部分を切り取って使用するＩＣカードが出現してきている。
ＩＣカードは、ＩＣチップの部分だけあれば、使用できるからである。
【０００９】
この『切り取り可能なＩＣカード』は、携帯電話用としては、ＳＩＭ（Ｓｕｂｓｃｒｉｂｅｒ  Ｉｄｅｎｔｉｔｙ  Ｍｏｄｕｌｅ）カード、又は、ＵＩＭ（Ｕｓｅｒ  Ｉｄｅｎｔｉｔｙ  Ｍｏｄｕｌｅ）カードと呼ばれ、以下のような工程で作製される。
【００１０】
（１）カード製造会社等にて、ＩＣカードの一部に『ＩＣカード番号』と、本人にしか知られたくない固有の番号であり、秘匿情報としての『ＰＩＮロック解除番号』とを目視可能な状態で印字する。
ここで、ＰＩＮ（Ｐｅｒｓｏｎａｌ  Ｉｎｄｅｎｔｉｆｉｃａｔｉｏｎ  Ｎｕｍｂｅｒ）とは、ＩＣカードの正当な所有者であるか否かを判別するための暗証番号であり、ＰＩＮロックとは、ＰＩＮの認証に失敗すると、全機能を自動的にロックする機能であり、ＰＩＮロック解除番号とは、ＰＩＮロックされた状態のＩＣカードを解除する番号である。
（２）カード製造会社等にて、所定のフォーマットにより、ＩＣチップに、ユニークな情報（例えば、ＩＣカード番号）やアプリケーションソフト等を記憶させる。
（３）このＩＣカードを台紙にセットし、携帯電話の販売店に配布する。
（４）販売店では、例えば、携帯電話の購入者の電話番号を、ＩＣチップに追加で記憶させ、ＩＣカード番号と電話番号とのマッチング等を行う。
（５）マッチング情報を書き込んだＳＩＭカード又はＵＩＭカードを切り取って携帯電話にセットし、携帯電話が使用できる状態になる。
（６）ＳＩＭカード又はＵＩＭカードを切り取ったＩＣカードには、ＩＣカード番号とＰＩＮロック解除番号とが印字されているため、台紙とともに携帯電話の購入者に手渡す。
なお、工程上、（４）と（５）が入れ替わる場合もある。
【００１１】
このとき、カードの使い方等の説明書を渡す必要があるため、カード単体ではなく、台紙に入れた状態で手渡している。
【００１２】
また、ＩＣカードには、『ＰＩＮロック解除番号』が印字されているので、少なくとも販売店に届くまでは、不正使用を防止するため、外部から簡単に読み取られないようにする必要がある。
【００１３】
そこで、特に、携帯電話にセットされる『切り取り可能なＩＣカード』の運用において、以下の要件を満たすものが求められていた。
（１）高セキュリティ性
この対策として、ＩＣカード番号をＩＣカードの表面に、ＰＩＮロック解除番号を裏面に印字し、裏面を台紙に貼り合わせてしまえば、ＰＩＮロック解除番号は目視できなくなるものの、同番号を印字する業者では、表裏を別々に印字する必要が生じることから、アンマッチングが発生しやすくなる。
また、特殊な両面印字機を用意した場合であっても、ジャム時等には、アンマッチングの可能性があり、印字速度も低下してしまう可能性がある。
（２）販売店での高作業性
この理由は、ＩＣカードへ書込まれた内容が正しいか否かのチェックや、ＩＣカード発行時の記録作業は、手間となるからである。
（３）容易な取り扱い性
この理由は、ＩＣカードが収納されている台紙が複雑な場合、発行業務そのものに経費が掛かり、購入者にも敬遠されてしまう可能性があるからである。
【特許文献１】特開２００２−３２４２２４号公報
【発明の開示】
【発明が解決しようとする課題】
【００１４】
本発明の課題は、カードに設けられた秘匿情報が、正当者以外には読み取られないようなセキュリティ性があり、また、流通段階では、作業がしやすく、使用者には、扱いやすいカード収納体を提供することである。
【課題を解決するための手段】
【００１５】
本発明は、以下のような解決手段により、前記課題を解決する。なお、理解を容易にするために、本発明の実施例に対応する符号を付して説明するが、これに限定されるものではない。
請求項１の発明は、略カード形状のカード部（２０）を収納するカード収納体であって、折り線（１１ｄ）で折り畳まれるシート本体（１１）と、折り畳まれた前記シート本体（１１）の内部に設けられ、前記カード部（２０）を配置するカード部配置領域（１２）と、前記カード配置領域（１２）に、前記カード部（２０）を固定する固定手段（１１ｂ）と、前記カード部配置領域（１２）に設けられ、折り畳まれた前記シート本体（１１）の外部に、前記カード部（２０）の少なくとも一部を表出させるカード表出部（１３）と、を備えるカード収納体である。
【００１６】
請求項２の発明は、請求項１に記載のカード収納体において、前記カード部（２０）は、外部に表出する部分に、識別情報が設けられていること、を特徴とするカード収納体である。
【００１７】
請求項３の発明は、請求項２に記載のカード収納体において、前記識別情報は、機械読取が可能であること、を特徴とするカード収納体である。
【００１８】
請求項４の発明は、請求項１から請求項３までのいずれか１項に記載のカード収納体において、前記カード部（２０）は、秘匿情報を備え、前記秘匿情報は、前記識別情報と同一面上に設けられていること、を特徴とするカード収納体である。
【００１９】
請求項５の発明は、請求項１から請求項４までのいずれか１項に記載のカード収納体において、前記シート本体（１１）は、前記秘匿情報と対応する部分に、その秘匿情報を隠蔽する隠蔽層を備えること、を特徴とするカード収納体である。
【００２０】
請求項６の発明は、請求項１から請求項５までのいずれか１項に記載のカード収納体において、前記カード部（２０）は、ＩＣチップ部（２１）を備え、そのＩＣチップ部（２１）以外の部分が、前記固定手段（１１ｂ）によって固定されている、及び／又は、カード表出部（１３）によって表出させられていること、を特徴とするカード収納体である。
【００２１】
請求項７の発明は、請求項６に記載のカード収納体において、請求項６に記載のカード収納体において、前記カード部（２０）は、前記ＩＣチップ部を含み、切り取り可能な小型ＩＣカード部（２１）を備えること、を特徴とするカード収納体である。
【００２２】
請求項８の発明は、請求項１から請求項７までのいずれか１項に記載のカード収納体において、前記固定手段（１１ｂ）は、再剥離可能な粘着層であり、前記秘匿情報は、前記カード部（２０）と前記粘着層との間に設けられていること、を特徴とするカード収納体である。
【００２３】
請求項９の発明は、請求項１から請求項８までのいずれか１項に記載のカード収納体において、前記シート本体（１１）は、不正な開封を防止する不正開封防止部（１４）を備えること、を特徴とするカード収納体である。
【発明の効果】
【００２４】
本発明によれば、折り畳まれたシート本体の内部にカード部を固定し、カード部の少なくとも一部を外部に表出させたので、表出させない部分によって高いセキュリティ性が確保でき、かつ、表出させた部分によって作業効率が向上する。
【発明を実施するための最良の形態】
【００２５】
本発明は、カードに設けられた秘匿情報が、正当者以外には読み取られないようなセキュリティ性があり、また、流通段階では、作業がしやすく、使用者には、扱いやすいカード収納体を提供するという目的を、折り畳まれたシート本体の内部にＵＩＭ用カードを固定し、再剥離粘着剤によってＰＩＮロック解除番号を隠蔽する一方で、カード表出部によって機械読取が可能なＩＣカード番号を外部に表出させることにより実現する。
【実施例１】
【００２６】
以下、図面等を参照して、本発明の実施例について、さらに詳しく説明する。
図１は、本発明によるカード収納体の実施例１を示す図であって、図１（Ａ）は、平面図、図１（Ｂ）は、ＡＢ断面図、図１（Ｃ）〜（Ｆ）は、使用方法を示す図である。
実施例１のカード収納体１０は、略カード形状のＵＩＭ用カード（カード部）２０を収納する台紙であって、シート本体１１と、ＵＩＭ用カード貼込位置（カード部配置領域）１２と、カード表出部１３と、開封防止ツメ（不正開封防止部）１４等とを備える。
【００２７】
シート本体１１は、ラベル基材１１ａと、再剥離粘着剤１１ｂと、剥離紙１１ｃと、折り線１１ｄと、ミシン目ｍｃと、表ハーフカットｈｃ１と、裏ハーフカットｈｃ２等とを備える。
【００２８】
ラベル基材１１ａは、シート本体１１の最下層に配置される基材である。
再剥離粘着剤１１ｂは、ラベル基材１１ａと剥離紙１１ｃとを剥離可能に接着する粘着剤であるとともに、ＵＩＭ用カード貼込位置１２に、ＵＩＭ用カード２０を固定する固定手段でもある。
剥離紙１１ｃは、使用時まで再剥離粘着剤１１ｂを保護するシートであり、再剥離粘着剤１１ｂ側の面は、剥離を容易にするための剥離処理がなされている。
折り線１１ｄは、シート本体１１の略中央に、かつ、天辺から地辺まで設けられ、シート本体１１を折り畳むための線であり、例えば、ミシン目や、筋押し線等である。
【００２９】
ミシン目ｍｃは、折り線１１ｄの両脇に、かつ、折り線１１ｄと平行に設けられ、このカード収納体１０を開封するためのカット線である。
表ハーフカットｈｃ１は、剥離紙１１ｃの右半分の略中央付近に、かつ、天辺から地辺まで設けられ、剥離紙１１ｃの表面からラベル基材１１ａを貫通しないように切り込まれたカット線である。
裏ハーフカットｈｃ２は、カード表出部１３の外縁に設けられ、ラベル基材１１ａの表面から剥離紙１１ｃを貫通しないように切り込まれたカット線である。
【００３０】
ＵＩＭ用カード貼込位置１２は、シート本体１１の右半分の略中央に設けられ、ＵＩＭ用カード２０を配置する場所であり、シート本体１１が折り畳まれた場合には、シート本体１１の内部に位置する。
【００３１】
カード表出部１３は、ＵＩＭ用カード貼込位置１２内の右下付近に、略長方形形状に設けられ、折り畳まれたシート本体１１の外部に、ＵＩＭ用カード２０のＩＣカード番号を表出させる部分である。
【００３２】
開封防止ツメ１４は、ＵＩＭ用カード貼込位置１２の右側に、ラベル基材１１ａから剥離紙１１ｃまで貫通するように設けられ、折り畳み後の不正な開封を防止する半円状の切り込みである。
【００３３】
一方、ＵＩＭ用カード２０は、図１（Ｄ）に示すように、ＵＩＭカード２１と、ＩＣカード番号（裏面により不図示）と、ＰＩＮロック解除番号（裏面により不図示）等とを備える。
ＵＩＭカード２１は、ＩＣチップ（ＩＣチップ部）を含み、このＵＩＭ用カード２０から切り取り可能な小型ＩＣカードである。
【００３４】
ＩＣカード番号は、ＵＩＭ用カード２０の右下（図中、Ａ部分の裏面）に設けられ、機械読取が可能な識別情報（例えば、識別記号、識別番号、識別種別）としてのバーコードである。
【００３５】
ＰＩＮロック解除番号は、ＩＣカード番号の上側（図中、Ｂ部分の裏面）に設けられ、購入者にしか知られたくない固有の秘匿情報である。
【００３６】
次に、実施例１のカード収納体１０の使用方法を説明する。
まず、図１（Ｃ）に示すように、表ハーフカットｈｃ１を用いて、それより右側の剥離紙１１ｃを剥離する。このとき、裏ハーフカットｈｃ２によって、裏ハーフカットｈｃ２の内側のラベル基材１１ａは、剥離紙１１ｃと一体となって剥離し、その部分は、孔が開いた状態となり、カード表出部１３が形成される。
【００３７】
ついで、図１（Ｄ）に示すように、ＵＩＭ用カード貼込位置１２に、ＵＩＭ用カード２０を載せ、ＵＩＭ用カード２０の右側半分と再剥離粘着剤１１ｂとを接着させる。このとき、ＵＩＭ用カード２０は、ＵＩＭカード２１以外の部分が、再剥離粘着剤１１ｂによって固定され、また、ＩＣカード番号は、カード表出部１３によって外部に表出させられている（ＵＩＭカード２１は、表出していない）。
【００３８】
さらに、図１（Ｅ）に示すように、折り線１１ｄで２つ折りし、端部を綴じ合わせる。この状態で、カード収納体１０は、販売店に届けられる。
【００３９】
そして、図１（Ｆ）に示すように、届けられたカード収納体１０を、ミシン目ｍｃで開封し、ＵＩＭ用カード２０からＵＩＭカード２１を切り離して携帯電話にセットする。実際は、カード収納体１０からＵＩＭ用カード２０を持ち上げるようにすれば、ＵＩＭカード２１を容易に切り取ることができる。このとき、ＵＩＭ用カード２０自体をカード収納体１０から取り出す必要はない。
【００４０】
最後に、ＵＩＭカード２１を切り取ったＵＩＭ用カード２０とともに、カード収納体１０を、携帯電話の購入者に手渡す。
【００４１】
このように、実施例１によれば、以下のような効果がある。
（１）ＵＩＭ用カード２０のＩＣカード番号を外部に表出させたので、販売店では、折り畳まれた状態のままでＩＣカード番号を読み込むことができ、作業効率が向上する。
（２）ＰＩＮロック解除番号を内部に隠蔽したので、流通段階（搬送中や、在庫中、管理中等）では、悪意がないとその番号が読み取れない状態となり、高いセキュリティ性が確保できる。
【００４２】
（３）ＩＣカード番号と、ＰＩＮロック解除番号とを、ＵＩＭ用カード２０の同一面上に設けたので、両番号を一度に印字することができ、アンマッチングを防止することができる。
（４）ＩＣカード番号を機械読取が可能なものとし、また、ＵＩＭカード２１を切り取り可能なものとしたので、販売店での作業効率がより向上する。
【００４３】
（５）シート本体１１とＵＩＭ用カード２０とがコンパクトにまとまっているので、発行業務も簡略化でき、経費も削減できる。
（６）ＰＩＮロック解除番号は、ＵＩＭ用カード２０と再剥離粘着剤１１ｂとの間に設けられているので、販売店でＵＩＭカード２１を切り取る段階でも、ＰＩＮロック解除番号が読み取られることはなく、購入者の安心感も高まる。
【００４４】
（７）ＵＩＭカード２１は、再剥離粘着剤１１ｂが付着しておらず、また、表出もしていないので、ＵＩＭカード２１を切り取って使用する場合には、べたつきはなく、ＩＣチップの不用意な破損もない。
（８）開封防止ツメ１４を設けたので、図１（Ｆ）の状態で、右側から開封された場合には、ラベル基材１１ａが破損するようになり、スキミングされてもその事実が確認でき、セキュリティ性が向上する。
【実施例２】
【００４５】
図２は、本発明によるカード収納体の実施例２を示す図である。
なお、前述した実施例１と同様な機能を果たす部分には、同一の符号又は末尾に統一した符号を付して、重複する説明や図面を適宜省略する。
実施例２のカード収納体１０Ａは、実施例１のカード収納体１０と近いタイプであるが、ＵＩＭ用カード貼込位置１２は、実施例１とは逆に、シート本体１１の左側に設けられ、剥離紙１１ｃには、表ハーフカットｈｃ３によって区画された、接着力の調整用の剥離紙残存部１５が設けられている。
【００４６】
次に、実施例２のカード収納体１０Ａの使用方法を説明する。
まず、図２（Ｃ）に示すように、表ハーフカットｈｃ１を用いて、それより左側の剥離紙１１ｃを剥離すると、実施例１と同様に、カード表出部１３が形成され、また、表ハーフカットｈｃ３によって、剥離紙残存部１５は、再剥離粘着剤１１ｂ上に残存する。
ついで、図２（Ｄ）に示すように、ＵＩＭ用カード貼込位置１２に、ＵＩＭ用カード２０を載せる。
さらに、図２（Ｅ）に示すように、２つ折りし、周縁部を綴じ合わせる。
そして、図２（Ｆ）に示すように、端部のミシン目ｍｃで開封する。
【００４７】
このように、実施例２によれば、カード収納体１０Ａの周縁部が完全に、綴じ合わされているので、実施例１よりもセキュリティ性が高い。
また、剥離紙残存部１５を設けたので、その面積を適宜変更することにより、内部に収納されるＵＩＭ用カード２０の密着具合を自在に調整できる。
【実施例３】
【００４８】
図３は、本発明によるカード収納体の実施例３を示す図である。
実施例３のカード収納体１０Ｂと、実施例１のカード収納体１０との異なる点は、ＵＩＭ用カード２０が縦に配置され、全体が３つ折りされる点と、開封用のミシン目ｍｃが設けられていない点である。
このように、実施例３によれば、実施例１と比べて、よりコンパクトにまとまり、開封もなめらかである。
【実施例４】
【００４９】
図４は、本発明によるカード収納体の実施例４を示す図である。
実施例４のカード収納体１０Ｃは、実施例１のカード収納体１０と異なり、孔形状のカード表出部１３が設けられていない。そのかわりに、切り込み１６が設けられている。
切り込み１６は、ＵＩＭ用カード２０の一部を嵌め合わせることができるように、かつ、ＵＩＭ用カード貼込位置１２の領域上に、ラベル基材１１ａから剥離紙１１ｃまで貫通するように設けられ、ＵＩＭ用カード２０を固定する固定手段であるとともに、ＵＩＭ用カード２０の一部を表出させるカード表出部でもある。
【００５０】
また、実施例１の再剥離粘着剤１１ｂが、剥離不可能な強粘着剤１１ｅにかわり、剥離紙１１ｃの右半分には、折り線１１ｄ側の１辺が接着された説明文１１ｆが積層され、開封用のミシン目ｍｃは、剥離紙１１ｃの右半分の天地付近と、説明文１１ｆの左右の端部付近に設けられている。
【００５１】
一方、ＵＩＭ用カード２０のＩＣカード番号の位置は、ＵＩＭ用カード２０の左下に変更されている。
【００５２】
次に、実施例４のカード収納体１０Ｃの使用方法を説明する。
まず、図４（Ｃ）に示すように、切り込み１６にＵＩＭ用カード２０を挿入し、ＵＩＭ用カード２０のＩＣカード番号を、カード収納体１０Ｃの裏側（外部）に表出させ、その後に、表ハーフカットｈｃ１を用いて、それより外側の剥離紙１１ｃを剥離する。
ついで、図４（Ｄ）に示すように、２つ折りし、周縁部を強接着する。
そして、図４（Ｅ）に示すように、説明文１１ｆと剥離紙１１ｃとの隙間から、天地付近のミシン目ｍｃを用いて真横に開封し、見開き状態とする。この開封動作時に、説明文１１ｆは、強粘着剤１１ｅに引っ張られ、自動的に反対側に移動する。
そして、ＵＩＭ用カード２０を取り出して、ＵＩＭカード２１を切り取り、携帯電話にセットする。
【００５３】
このように、実施例４によれば、切り込み１６が、固定手段とカード表出部とを兼用しているので、製造しやすく、かつ、ＵＩＭ用カード２０は、粘着剤によって固定されていないので、取り出しやすい。
また、説明文１１ｆによって、情報量が増加でき、その説明文１１ｆを内部に収納したい場合に有効である。
【実施例５】
【００５４】
図５は、本発明によるカード収納体の実施例５を示す図である。
実施例５のカード収納体１０Ｄは、実施例４のカード収納体１０Ｃと似たタイプであるが、実施例４とは逆に、ラベル基材１１ａ側に説明文１１ｆが積層されている。
このように、実施例５によれば、実施例４と同様に情報量が増加でき、また、折り畳まれた場合には、最表面に説明文１１ｆが配置されるので、説明文１１ｆに重要事項が記載されている場合や、説明文１１ｆを積極的にアピールしたい場合に有効である。
【００５５】
（変形例）
以上説明した実施例に限定されることなく、種々の変形や変更が可能であって、それらも本発明の均等の範囲内である。
（１）ＵＩＭ用カード２０のＰＩＮロック解除番号と対応するシート本体１１の一部分に、印刷やコーティング等により、透視しにくくするための隠蔽層を設けてもよい。このようにすれば、セキュリティ性がより高まり、購入者も安心である。
（２）小型ＩＣカード部は、ＵＩＭカードの例で説明したが、ＳＩＭカードでもよく、また、ＵＩＭ用カード２０は、通常のＩＣカード、各種カード等であってもよい。
（３）表出させるＩＣカード番号は、目視で読み取り可能なものであってもよい。
（４）シート本体１１に用いた３層（ラベル基材１１ａ／再剥離粘着剤１１ｂ、強粘着剤１１ｅ／剥離紙１１ｃ）は、この順に積層されているタック紙を使用してもよい。このようにすれば、製造が容易であり、コストダウンも図れる。
【図面の簡単な説明】
【００５６】
【図１】本発明によるカード収納体の実施例１を示す図である。
【図２】本発明によるカード収納体の実施例２を示す図である。
【図３】本発明によるカード収納体の実施例３を示す図である。
【図４】本発明によるカード収納体の実施例４を示す図である。
【図５】本発明によるカード収納体の実施例５を示す図である。
【符号の説明】
【００５７】
１０、１０Ａ〜１０Ｄ  カード収納体
１１  シート本体
１１ａ  ラベル基材
１１ｂ  再剥離粘着剤
１１ｃ  剥離紙
１１ｄ  折り線
１１ｅ  強粘着剤
１１ｆ  説明文
１２  ＵＩＭ用カード貼込位置
１３  カード表出部
１４  開封防止ツメ
１５  剥離紙残存部
１６  切り込み
２０  ＵＩＭ用カード
２１  ＵＩＭカード
ｈｃ１  表ハーフカット
ｈｃ２  裏ハーフカット
ｈｃ３  表ハーフカット
ｍｃ  ミシン目
【図１】
2005250546.tif 000003
【図２】
2005250546.tif 000004
【図３】
2005250546.tif 000005
【図４】
2005250546.tif 000006
【図５】
2005250546.tif 000007